(57)【特許請求の範囲】
【請求項１】
丸パイプ状の支柱を支持するパイプ支柱支持台座において、
基台と、この基台に鉛直方向に設けられた支柱収容穴と、前記基台に取り付けられる２つの支柱径選択部材と、これらの支柱径選択部材にそれぞれ設けられた、想定される複数種類の前記支柱の外径に対応する異なった径をそれぞれ有する複数の円弧状の挿通穴形成凹部とを有してなり、
前記２つの支柱径選択部材は、同一の径の前記挿通穴形成凹部同士が対向されて、前記支柱収容穴に合致した状態で共通の１つの挿通穴をそれぞれ構成することができるように、前記基台に取り付け方向を選択可能に取り付けられるようになっており、
前記支柱の下端部が前記挿通穴を通して前記支柱収容穴に挿入されることにより、前記支柱を支持するようになっているパイプ支柱支持台座。
【請求項２】
前記支柱径選択部材の下方に設けられた段付き嵌合部材をさらに有し、
前記段付き嵌合部材は、複数の段を有し、これらの段はそれぞれ外径が異なっていて、かつ上側に行くほど細くなるテーパーを付けられており、対応する太さの前記支柱が前記支柱収容穴に挿入されたときに、該支柱の内周面に外周面をそれぞれ嵌合されるようになっている請求項２記載のパイプ支柱支持台座。
【請求項３】
前記段付き嵌合部材の前記各段の外周面は、ゴム弾性を有する材料からなっている請求項２記載のパイプ支柱支持台座。
【請求項４】
前記支柱収容穴内かつ前記段付き嵌合部材の上方かつ該段付き嵌合部材と同軸に配置されており、該支柱収容穴に前記支柱が挿入されて行ったとき、該支柱内に侵入し、該支柱を前記段付き嵌合部へ案内する支柱ガイドをさらに有する請求項３記載のパイプ支柱支持台座。
【請求項５】
前記支柱径選択部材には、大径支柱用、中径支柱用および小径支柱用の３種類の径の前記挿通穴形成凹部が設けられている請求項１乃至４のいずれかに記載のパイプ支柱支持台座。
【発明の詳細な説明】
【技術分野】
【０００１】
本発明は、標識等の、丸パイプ材からなる支柱（ポール）を支持するパイプ支柱支持台座に関する。
【背景技術】
【０００２】
従来より、この種のパイプ支柱支持台座としては、非特許文献１に示されているような、支柱収容穴を有しており、この支柱支持収容穴に支柱の下端部が差し込まれることにより、支柱を支持するものがあった。
【非特許文献１】「カタログＮｏ．Ｓ−１６Ｂ  ユニットの安全標識・安全用品」，ユニット株式会社，平成１６年６月，ｐ.９４
【発明の開示】
【発明が解決しようとする課題】
【０００３】
標識等のパイプ支柱としては、従来より一般に、外径が６０．５ｍｍφ、５０．８ｍｍφおよび３８．１ｍｍφの３種類の太さの横断面円形の丸パイプ材が用いられている。しかるに、従来のパイプ支柱支持台座は、一種類の太さの支柱にしか適応できなかったので、メーカーおよび販売店等の供給者側は、前記３種類の支柱の太さに対応する３種類のパイプ支柱支持台座を用意する必要があった。また、ユーザー側も、複数種類太さの支柱を使用したい場合は、それらに対応する複数種類のパイプ支柱支持台座を用意する必要があった。
【０００４】
本発明は、このような従来の事情に鑑みてなされたもので、本発明の目的の一つは、１つのパイプ支柱支持台座で、複数種類の支柱の太さに対応することができるパイプ支柱支持台座を提供することにある。
【０００５】
本発明の他の目的は、傾いたり、ガタついたりすることなく支柱を支持することができるパイプ支柱支持台座を提供することにある。
【０００６】
本発明の他の目的は、支柱の取り付けが容易なパイプ支柱支持台座を提供することにある。
【０００７】
本発明のさらに他の目的は、以下の説明から明らかになろう。
【課題を解決するための手段】
【０００８】
本発明によるパイプ支柱支持台座は、
丸パイプ状の支柱を支持するパイプ支柱支持台座において、
基台と、この基台に鉛直方向に設けられた支柱収容穴と、前記基台に取り付けられる２つの支柱径選択部材と、これらの支柱径選択部材にそれぞれ設けられた、想定される複数種類の前記支柱の外径に対応する異なった径をそれぞれ有する複数の円弧状の挿通穴形成凹部とを有してなり、
前記２つの支柱径選択部材は、同一の径の前記挿通穴形成凹部同士が対向されて、前記支柱収容穴に合致した状態で共通の１つの挿通穴をそれぞれ構成することができるように、前記基台に取り付け方向を選択可能に取り付けられるようになっており、
前記支柱の下端部が前記挿通穴を通して前記支柱収容穴に挿入されることにより、前記支柱を支持するようになっているものである。
【０００９】
本発明においては、各支柱径選択部材の取り付け方向を選択し、使用したい支柱の外径に対応する径の挿通穴形成凹部同士が対向されて、支柱収容穴に合致した状態で１つの円形状の挿通穴を構成するようにした上、支柱の下端部を前記挿通穴を通して支柱収容穴に挿入することにより、支柱をパイプ支柱支持台座に支持させることができる。
【００１０】
したがって、１つのパイプ支柱支持台座で、複数種類の支柱の太さに対応することができる。
【００１１】
また、本発明において、支柱径選択部材の下方に段付き嵌合部材を設け、この段付き嵌合部材は、それぞれ外径が異なっていて、かつ上側に行くほど細くなるテーパーを付けられている複数の段を有し、各段の外周面は、対応する太さの前記支柱が前記支柱収容穴に挿入されたときに、該支柱の内周面にそれぞれ嵌合されるようにすれば、パイプ支柱支持台座に対し支柱が傾いたり、ガタついたりすることなく、支持されるようにすることができる。
【００１２】
また、現在市販されている標識パイプ支柱用のパイプ材は、その外径は規格で定められた比較的に小さな許容誤差の範囲に入っているが、その内径については、特に一般に定められている規格がなく、製品によって大きなばらつきがあるのが現状である。しかるに、本発明においては、段付き嵌合部材の各段の外周面がゴム弾性を有する材料から構成されるようにすれば、前記内径の大きなばらつきを吸収することができる。
【００１３】
また、本発明においては、支柱収容穴内かつ段付き嵌合部材の上方かつ該段付き嵌合部材と同軸に支柱ガイドを配置し、支柱収容穴に支柱が挿入されて行ったとき、この支柱ガイドが支柱内に侵入し、支柱を段付き嵌合部材へ案内するようにすれば、支柱の取り付けを一層容易に行うことができるようになる。
【発明の効果】
【００１４】
本発明のパイプ支柱支持台座は、
（イ）１つのパイプ支柱支持台座で、複数種類の支柱の太さに対応することができる、
（ロ）傾いたり、ガタついたりすることなく支柱を支持することができる、
（ハ）支柱を容易に取り付けることができる、
等の優れた効果を得られるものである。
【発明を実施するための最良の形態】
【００１５】
以下、本発明を図面に示す実施例に基づいて説明する。
【実施例】
【００１６】
図１〜１７は本発明のパイプ支柱支持台座１の一実施例を示している。プラスチックからなる基台２は、中空状とされていて、内部に水を収容できるようになっており、水を注入・排出するための注水口３を設けられている。そして、この注水口３を通じて基台２内に水を注入することにより、基台２に十分な重量を付与し、後述する支柱を安定に支持させることができるようになっている。前記注水口３は、注水キャップ４により開閉できるようになっている。図５によく示されるように、前記基台２の中心部には、該基台２を鉛直方向（基台２が水平に置かれた状態における鉛直方向）に貫通する支柱収容穴５が設けられている。図１および７によく示されるように、前記基台２の上面には、２つの円を互いに一部重ね合わせた形状をなす選択部材収容凹部６が設けられており、この選択部材収容凹部６の底部にはさらに４つの円弧状の立ち上げ部収容凹部７と上方に突出する２つの突起２４とが設けられている。前記基台２の側部には、把手部２３が設けられている。
【００１７】
図１，５および６に示されるように、前記基台２の底面には、金属からなる底面板８が取り付けられており、この底面板８の中央部分は支柱収容穴５の底部を構成している。前記支柱収容穴５内には、底面板８に取り付けられた状態で、段付き嵌合部材９が支柱収容穴５と同軸に設けられている。この段付き嵌合部材９は、金属からなるベース材１０と、このベース材１０の外面に被せられたゴム材１１とからなる。したがって、段付き嵌合部材９の外周面はゴム材１１により構成されている。前記段付き嵌合部材９は、全体に段付き円錐台状をなしていて、大径支柱用段９Ｌ、中径支柱用段９Ｍおよび小径支柱用段９Ｓの３つ段を下から上に向かってこの順で有し、各段９Ｌ，９Ｍ，９Ｓにはそれぞれ上側に行くほど細くなるテーパーが付けられている。各段９Ｌ，９Ｍ，９Ｓの外径は、それぞれ大径支柱１２Ｌ（外径６０．５ｍｍφ）、中径支柱１２Ｍ（外径５０．８ｍｍφ）、小径支柱１２Ｓ（外径３８．１ｍｍφ）の内径に対応する大きさとされており、より詳しく言うと、各支柱１２Ｌ，１２Ｍ，１２Ｓの標準的な内径に比し、各段９Ｌ，９Ｍ，９Ｓの最大外径はそれぞれ若干大きく、最小外径はそれぞれ若干小さくされている。
【００１８】
前記底面板８には、段付き嵌合部材９の中心を貫通するボルト１４を介してプラスチックからなる支柱ガイド１３が取り付けられており、これにより支柱ガイド１３は、支柱収容穴５内において段付き嵌合部材９の上方に該段付き嵌合部材９と同軸に配置されている。この支柱ガイド１３は、上側に行くほど細くなるテーパーを付けられており、最下端の最大外径部分の径は段付き嵌合部材９の小径支柱用段９Ｓの最小外径部分と同じか若干小さい大きさとされている。図８に示されるように、前記段付き嵌合部材９には、その上端から中径支柱用段９Ｍの上部にかけて水抜き溝１５が設けられている。
【００１９】
図１および４等に示されているように、パイプ支柱支持台座１は２つの支柱径選択部材１６を有している。図９および１０によく示されているように、各支柱径選択部材１６は、金属板材をプレス加工してなり、該支柱径選択部材１６には、その中心点Ｏを中心として１２０度間隔で、３つの穴１７と、それぞれ半円状をなす大径支柱用挿通穴形成凹部１８Ｌ、中径支柱用挿通穴形成凹部１８Ｍおよび小径支柱用挿通穴形成凹部１８Ｓが設けられている。各挿通穴形成凹部１８Ｌ，１８Ｍ，１８Ｓの周囲には立ち上げ部１９が設けられている。前記大径支柱用挿通穴形成凹部１８Ｌ、中径支柱用挿通穴形成凹部１８Ｍおよび小径支柱用挿通穴形成凹部１８Ｓの径は、それぞれ大径支柱１２Ｌ、中径支柱１２Ｍおよび小径支柱１２Ｓの外径より僅かに大きい径とされている。
【００２０】
前記２つの支柱径選択部材１６は、それぞれ３つの穴１７のうちの一つを突起２４に嵌合するとともに、他の２つの穴１７にボルト２０を挿通した上、基台２にインサートされたインサーナット２２（図５，６，１２，１４，１６参照）に該ボルト２０を螺合することによって、基台２上面の選択部材収容凹部６に、取り付け方向を１２０度毎に可変に取り付けられるようになっている。
【００２１】
次に、図１〜１７を用いて、本実施例におけるパイプ支柱支持台座１の使用方法を説明する。
【００２２】
大径支柱１２Ｌを使用するときは、図１１および１２のように、２つの支柱径選択部材１６の大径支柱用挿通穴形成凹部１８Ｌ同士が対向されて、支柱収容穴５に同軸に合致した状態で共通の１つの円形状の挿通穴を構成することとなる位置に、穴１７、突起２４、ボルト２０およびインサートナット２４を使用して２つの支柱径選択部材１６を基台２に取り付ける。このとき、各支柱径選択部材１６の大径支柱用挿通穴形成凹部１８Ｌの周囲の立ち上げ部１９は支柱収容穴５に収容される一方、中径支柱用挿通穴形成凹部１８Ｍおよび小径支柱用挿通穴形成凹部１８Ｓの周囲の立ち上げ部１９は立ち上げ部収容凹部７に収容される。
【００２３】
次に、大径支柱１２Ｌの下端部を２つの支柱径選択部材１６の大径支柱用挿通穴形成凹部１８Ｌ間に形成された挿通穴を通して支柱収容穴５に挿入して行く。すると、支柱ガイド１３が大径支柱１２Ｌ内に侵入し、該支柱１２Ｌを段付き嵌合部材９へ案内して行き、最終的には、図１２のように、大径支柱１２Ｌの内周面が段付き嵌合部材９の大径支柱用段９Ｌの外周面に嵌合する。これにより、大径支柱１２Ｌをパイプ支柱支持台座１に支持させることができる。図１７は、標識２１を取り付けられた大径支柱１２Ｌがパイプ支柱支持台座１に支持されている状態を示している。
【００２４】
中径支柱１２Ｍを使用するときは、図１３および１４のように、２つの支柱径選択部材１６の中径支柱用挿通穴形成凹部１８Ｍ同士が対向されて、支柱収容穴５に同軸に合致した状態で共通の１つの円形状の挿通穴を構成する位置に、穴１７、突起２４、ボルト２０およびインサートナット２４を使用して２つの支柱径選択部材１６を基台２に取り付ける（図１１の場合と比較すると、２つの支柱径選択部材１６をその中心点Ｏを中心として１２０度回転させた位置に取り付けることになる）。このとき、各支柱径選択部材１６の中径支柱用挿通穴形成凹部１８Ｍの周囲の立ち上げ部１９は支柱収容穴５に収容される一方、大径支柱用挿通穴形成凹部１８Ｌおよび小径支柱用挿通穴形成凹部１８Ｓの周囲の立ち上げ部１９は立ち上げ部収容凹部７に収容される。
【００２５】
次に、中径支柱１２Ｍの下端部を２つの支柱径選択部材１６の中径支柱用挿通穴形成凹部１８Ｍ間に形成された挿通穴を通して支柱収容穴５に挿入して行く。すると、支柱ガイド１３が中径支柱１２Ｍ内に侵入し、該支柱１２Ｍを段付き嵌合部材９へ案内して行き、最終的には、図１４のように、中径支柱１２Ｍの内周面が段付き嵌合部材９の中径支柱用段９Ｍの外周面に嵌合する。これにより、中径支柱１２Ｍをパイプ支柱支持台座１に支持させることができる。
【００２６】
小径支柱１２Ｓを使用するときは、図１５および１６のように、２つの支柱径選択部材１６の小径支柱用挿通穴形成凹部１８Ｓ同士が対向されて、支柱収容穴５に同軸に合致した状態で共通の１つの円形状の挿通穴を構成する位置に、穴１７、突起２４、ボルト２０およびインサートナット２４を使用して２つの支柱径選択部材１６を基台２に取り付ける（図１１の場合と比較すると、２つの支柱径選択部材１６をその中心点Ｏを中心として２４０度回転させた位置に取り付けることになる）。このとき、各支柱径選択部材１６の小径支柱用挿通穴形成凹部１８Ｓの周囲の立ち上げ部１９は支柱収容穴５に収容される一方、大径支柱用挿通穴形成凹部１８Ｌおよび中径支柱用挿通穴形成凹部１８Ｍの周囲の立ち上げ部１９は立ち上げ部収容凹部７に収容される。
【００２７】
次に、小径支柱１２Ｓの下端部を２つの支柱径選択部材１６の小径支柱用挿通穴形成凹部１８Ｓ間に形成された挿通穴を通して支柱収容穴５に挿入して行く。すると、支柱ガイド１３が支柱内に侵入し、小径支柱１２Ｓを段付き嵌合部材９へ案内して行き、最終的には、図１６のように、小径支柱１２Ｓの内周面が段付き嵌合部材９の小径支柱用段９Ｓの外周面に嵌合する。これにより、小径支柱１２Ｓをパイプ支柱支持台座１に支持させることができる。
【００２８】
このように、このパイプ支柱支持台座１によれば、基台２に対する２つの支柱径選択部材１６の取り付け方向を変えることにより、１つのパイプ支柱支持台座１で、３種類の支柱９Ｌ，９Ｍ，９Ｓの太さに対応することができる。
【００２９】
また、本実施例においては、支柱径選択部材１６の下方に段付き嵌合部材９が設けられており、この段付き嵌合部材９は、それぞれそれぞれ外径が異なっていて、かつ上側に行くほど細くなるテーパーを付けられている大径支柱用段９Ｌ、中径支柱用段９Ｍおよび小径支柱用段９Ｓを有しており、支柱収容穴５に大径支柱１２Ｌ、中径支柱１２Ｍまたは小径支柱１２Ｓが挿入されたときに、いずれかの段９Ｌ，９Ｍ，９Ｓの外周面が該支柱１２Ｌ，１２Ｍ，１２Ｓの内周面に嵌合されるようになっているので、パイプ支柱支持台座１に対し支柱１２Ｌ，１２Ｍ，１２Ｓが傾いたり、ガタついたりすることなく、支持されるようにすることができる。
【００３０】
また、現在市販されている標識パイプ支柱用のパイプ材は、その外径は規格で定められた比較的に小さな許容誤差の範囲に入っているが、その内径については、特に一般に定められている規格がなく、製品によって大きなばらつきがあるのが現状である。しかし、本実施例では、段付き嵌合部材９の各段９Ｌ，９Ｍ，９Ｓの外周面がゴム弾性を有する材料から構成されているので、前記内径の大きなばらつきを吸収することができる。
【００３１】
また、本実施例では、支柱ガイド１３が支柱収容穴５内において段付き嵌合部材９の上方かつ該段付き嵌合部材９と同軸に配置されており、支柱収容穴５に支柱９Ｌ，９Ｍ，９Ｓが挿入されて行ったとき、この支柱ガイド１３が支柱９Ｌ，９Ｍ，９Ｓ内に侵入し、支柱９Ｌ，９Ｍ，９Ｓを段付き嵌合部材９へ案内するので、支柱９Ｌ，９Ｍ，９Ｓの取り付けを一層容易に行うことができる。
【００３２】
さらに、小径支柱１２Ｓの場合、側面上部に穴が設けられることがあり、この穴から小径支柱１２Ｓ内に雨水が浸入する虞があるが、本実施例では段付き嵌合部材９に水抜き溝１５が設けられているので、小径支柱１２Ｓ内に侵入した雨水を水抜き溝１５を通して外部に排出することができる。中径支柱１２Ｍおよび（または）大径支柱１２Ｌの側面にも穴が設けられる場合は、水抜き溝１５を段付き嵌合部材９のより下方まで延長すればよい。
【００３３】
なお、前記実施例においては、各支柱径選択部材１６に３種類の径の挿通穴形成凹部１８Ｌ，１８Ｍ，１８Ｓを設けているが、各支柱径選択部材１６に２または４以上の種類の径の挿通穴形成凹部を設け、２または４以上の種類の径の支柱に適応可能としてもよい。
【００３４】
また、前記実施例では、挿通穴形成凹部１８Ｌ，１８Ｍ，１８Ｓを半円状としているが、本発明においては、挿通穴形成凹部を円弧角が１８０度より小さい円弧状としてもよい。
【産業上の利用可能性】
【００３５】
以上のように本発明によるパイプ支柱支持台座は、標識等の、丸パイプ材からなる支柱を支持するパイプ支柱支持台座として有用である。
【図面の簡単な説明】
【００３６】
【図１】本発明のパイプ支柱支持台座の一実施例を示す分解斜視図である。
【図２】前記実施例を示す正面図である。
【図３】前記実施例を示す側面図である。
【図４】前記実施例を示す平面図である。
【図５】図４のＶ−Ｖ線における断面図である。
【図６】図５の要部を拡大して示す拡大断面図である。
【図７】前記実施例における基台を示す平面図である。
【図８】前記実施例における段付き嵌合部材を示す斜視図である。
【図９】本実施例における支柱径選択部材を示す平面図である。
【図１０】前記支柱径選択部材を示す下側方向からの斜視図である。
【図１１】前記実施例において大径支柱を使用する場合の、支柱径選択部材の取り付け状態を示す平面図である。
【図１２】前記実施例において大径支柱を使用する場合の、支柱挿入穴への支柱の挿入状態を示す断面図である。
【図１３】前記実施例において中径支柱を使用する場合の、支柱径選択部材の取り付け状態を示す平面図である。
【図１４】前記実施例において中径支柱を使用する場合の、支柱挿入穴への支柱の挿入状態を示す断面図である。
【図１５】前記実施例において小径支柱を使用する場合の、支柱径選択部材の取り付け状態を示す平面図である。
【図１６】前記実施例において小径支柱を使用する場合の、支柱挿入穴への支柱の挿入状態を示す断面図である。
【図１７】標識を取り付けられた大径支柱が前記実施例に支持されている状態を示す正面図である。
【符号の説明】
【００３７】
１    パイプ支柱支持台座
２    基台
５    支柱収容穴
９    段付き嵌合部材
９Ｌ  大径支柱用段
９Ｍ  中径支柱用段
９Ｓ  小径支柱用段
１１    ゴム材
１２Ｌ  大径支柱
１２Ｍ  中径支柱
１２Ｓ  小径支柱
１３    支柱ガイド
１６    支柱径選択部材
１８Ｌ  大径支柱用挿通穴形成凹部
１８Ｍ  中径支柱用挿通穴形成凹部
１８Ｓ  小径支柱用挿通穴形成凹部
【図１】
0004805905.tif 000002
【図２】
0004805905.tif 000003
【図３】
0004805905.tif 000004
【図４】
0004805905.tif 000005
【図５】
0004805905.tif 000006
【図６】
0004805905.tif 000007
【図７】
0004805905.tif 000008
【図８】
0004805905.tif 000009
【図９】
0004805905.tif 000010
【図１０】
0004805905.tif 000011
【図１１】
0004805905.tif 000012
【図１２】
0004805905.tif 000013
【図１３】
0004805905.tif 000014
【図１４】
0004805905.tif 000015
【図１５】
0004805905.tif 000016
【図１６】
0004805905.tif 000017
【図１７】
0004805905.tif 000018